(57)【要約】【課題】カバーからの内容物の飛び出しがなく、取り扱いが容易なカバー付き包装箱を提供することにある。【解決手段】カバー３０の両端に設けられた連結部３５、３６には、互いに係合可能な差込穴３７と差込片３８、３９とが設けられている。これにより、接着剤等を使用しなくともカバー３０の両端を連結できるから、カバー３０の取り付け、取り外しを容易に行うことができる。また、カバー３０を繰り返し使用することができ、資源の有効利用を図ることができる。また、カバー３０には、箱部１０に係止可能な係止片３４が設けられているから、カバー３０から箱部１０が飛び出してしまうことを防止できる。さらに、係止片３４はカバー３０の巻き付け方向に沿って設けられているから、カバー３０の巻き付け、取り外し動作と連動して、係止片３４のスリット部２０への挿脱を行うことができる。これにより、カバーの着脱時の作業性が向上する。【選択図】  図１
2004203421.tif 000002
【特許請求の範囲】
【請求項１】
被包装物を収容する箱部と、帯状に形成されて前記箱部を包囲可能なカバーとを備えたカバー付き包装箱であって、
前記カバーは、一端側に設けられた差込穴と、
他端側に設けられて前記差込穴に差し込み係止されることにより前記カバーの両端を連結する差込片と、
前記カバーの前記箱部への巻き付け方向に沿って設けられて、前記箱部に設けられた係合部に収容されることにより前記箱部に係止可能な係止片とを備えることを特徴とするカバー付き包装箱。
【請求項２】
前記係合部が、前記箱部の側壁部に設けられてこの側壁部と隣接する側壁部とを連結するためのフラップ部を収容するためのスリット部であることを特徴とする請求項１に記載のカバー付き包装箱。
【請求項３】
前記差込片は、前記カバーの端縁から前記カバーの巻き付け方向に突出された第１の差込片と、前記端縁よりも内側位置に前記第１の差込片と背中合わせに設けられた第２の差込片とからなるとともに、
前記第１の差込片と前記第２の差込片との間には前記カバーの巻き付け方向と交差方向に沿って第１の折り線が設けられ、
前記第２の差込片の付け根位置には前記カバーの巻き付け方向と交差方向に沿って第２の折り線が設けられていることを特徴とする請求項１または請求項２に記載のカバー付き包装箱。
【請求項４】
前記カバーの幅が、前記箱部において前記カバーによって覆われる壁部の幅よりも長くされていることを特徴とする請求項１〜請求項３に記載のカバー付き包装箱。
【発明の詳細な説明】
【０００１】
【発明の属する技術分野】
本発明は、カバー付き包装箱に関する。
【０００２】
【従来の技術】
従来、商品を物流に供する際には、ダンボール等により作られた包装箱により商品を梱包することが一般的である。
このとき、商品の保護、および包装箱の汚れ防止等を目的として、スリーブラップ式のカバーを包装箱に装着することが行われる。
このカバーは、帯状に形成された包装材を、被包装物の天面、地面、および対向する一対の側面の四面を包囲するように筒状に組み立てたものである。
【０００３】
なお、このようなスリーブラップ式のカバーは、例えば特開平６−３４５０７３号公報に開示されている。
【０００４】
【特許文献１】
特開平６−３４５０７３号公報
【０００５】
【発明が解決しようとする課題】
ところが、このようなカバーでは、２つの側面が開放された状態となっているため、包装箱が傾いた場合などに、包装箱がカバーから飛び出してしまうおそれがあった。また、包装材を筒状に組み立てる際に、その端部を糊やガムテープ等により固着する必要があるため、取り付けに手間を用し、また納入先において商品を取り出す際に、カバーの取り外しが面倒であるという問題があった。また、取り外し時に剥がされた接着部分が傷んでしまうため、カバーを再利用できないという問題があった。
【０００６】
本発明は、上記した事情に鑑みてなされたものであり、その目的は、カバーからの内容物の飛び出しがなく、取り扱いが容易なカバー付き包装箱を提供することにある。
【０００７】
【課題を解決するための手段】
上記の課題を解決するために請求項１の発明に係るカバー付き包装箱は、被包装物を収容する箱部と、帯状に形成されて前記箱部を包囲可能なカバーとを備えたカバー付き包装箱であって、前記カバーは、一端側に設けられた差込穴と、
他端側に設けられて前記差込穴に差し込み係止されることにより前記カバーの両端を連結する差込片と、前記カバーの前記箱部への巻き付け方向に沿って設けられて、前記箱部に設けられた係合部に収容されることにより前記箱部に係止可能な係止片とを備えることを特徴とする。
【０００８】
請求項２の発明は、請求項１に記載のカバー付き包装箱であって、前記係合部が、前記箱部の側壁部に設けられてこの側壁部と隣接する側壁部とを連結するためのフラップ部を収容するためのスリット部であることを特徴とする。
【０００９】
請求項３の発明は、請求項１または請求項２に記載のカバー付き包装箱であって、前記差込片は、前記カバーの端縁から前記カバーの巻き付け方向に突出された第１の差込片と、前記端縁よりも内側位置に前記第１の差込片と背中合わせに設けられた第２の差込片とからなるとともに、前記第１の差込片と前記第２の差込片との間には前記カバーの巻き付け方向と交差方向に沿って第１の折り線が設けられ、前記第２の差込片の付け根位置には前記カバーの巻き付け方向と交差方向に沿って第２の折り線が設けられていることを特徴とする。
【００１０】
請求項４の発明は、請求項１〜請求項３に記載のカバー付き包装箱であって、前記カバーの幅が、前記箱部において前記カバーに覆われる壁部の幅よりも長くされていることを特徴とする。
【００１１】
【発明の作用及び効果】
請求項１の発明によれば、カバーの一端側および他端側には、互いに係合可能な差込穴と差込片とが設けられている。このような構成によれば、糊やガムテープ等を使用しなくとも、カバーの両端を連結して筒状に固定することができるから、カバーの箱部への取り付け、取り外しを容易に行うことができる。また、糊等を使用した場合のように、取り外し時に剥がされた接着部分が傷んでしまうことがないため、カバーを繰り返し使用することができ、資源の有効利用を図ることができる。
【００１２】
また、カバーには、箱部に係止可能な係止片が設けられているから、カバーから箱部が飛び出してしまうことを防止できる。さらに、この係止片は、カバーの箱部への巻き付け方向に沿って設けられているから、カバーの巻き付け、取り外し動作を妨げることなく、係止片の箱部への係止を行うことができる。これにより、カバーの着脱時の作業性が向上する。
【００１３】
請求項２の発明によれば、箱部の側壁部に設けられてこの側壁部と隣接する側壁部とを連結するためのフラップ部を収容するためのスリット部を、係止片を収容する係合部として利用している。このような構成によれば、係止片を収容するための構造を特別に設ける必要がないため、箱部の構造を簡略化できる。
【００１４】
請求項３の発明によれば、前記差込片は、前記カバーの端縁から巻き付け方向に突出された第１の差込片と、この第１の差込片と背中合わせに設けられた第２の差込片とからなる。このような構成によれば、一方の差込片が差込穴から脱落しようとする方向にずれたとしても、他方の差込片の差込穴への引っ掛かりによってそのずれが規制される。したがって、差し込み片が差込穴から脱落しにくくなり、カバー両端部の連結が確実に行われる。また、両差込片はカバーの巻き付け方向に突出されているから、カバーの巻き付け、取り外し動作と連動して差込片の差込穴に対する挿脱を行うことができ、カバーの着脱時の作業性が向上する。
さらに、第１の差込片と第２の差込片との間には第１の折り線が設けられ、第２の差込片の付け根位置には第２の折り線が設けられている。このような構成によれば、折り線に沿ってカバーを折り曲げることにより、両差込片の差込穴に対する挿脱を容易に行うことができ、カバーの着脱時の作業性が向上する。
【００１５】
請求項４の発明によれば、カバーの幅は箱部の幅よりも長くされている。
ここで、包装箱においてカバーに覆われている４面は、カバーの厚み分だけ壁が厚い状態となっている。このため、この方向から障害物がぶつかった場合等に、内部の被包装物への衝撃が和らげられる。しかし、カバーの開放面側から障害物がぶつかった場合には、このような緩衝効果が得られないため、被包装物への影響が大きくなってしまう。
しかし、本発明の構成によれば、カバーを箱部に取り付ける際に、カバーの側縁部が箱部の側方へ張り出す状態となる。このため、カバーの開放面側から障害物がぶつかった場合等には、この張り出し部分が緩衝材の役割をして衝撃を和らげる。これにより、如何なる方向から障害物がぶつかった場合であっても、カバーによる緩衝効果を得ることができ、被包装物を保護することができる。
【００１６】
【発明の実施の形態】
以下、本発明のカバー付き包装箱を具体化した一実施形態について、図１〜図１３を参照しつつ詳細に説明する。本実施形態のカバー付き包装箱１は、図１に示すように、被包装物２を収容する箱部１０と、この箱部１０を包囲可能なカバー３０とを備えている。なお、以下の説明において、箱部１０における蓋部２３側（図１の上側）を上方として説明する。
【００１７】
箱部１０は、所定の形状に形成されたダンボール板を組み立てることにより作成されるものである。
箱部１０の底壁部１１は長方形状に形成され、その側辺には、それぞれ側壁部１２、１３が連設されている（図３、図６参照）。底壁部１１における短辺側の側辺には、それぞれ対向する一対の短辺側側壁部１２が連設されている。この短辺側側壁部１２は、底壁部１１に連続して形成された外面板１４と、この外面板１４の上端から延設されて、外面板１４とほぼ同じ大きさをなす内面板１５とで構成されている。内面板１５と外面板１４との境目には折線１６が設けられ、この折線１６により内面板１５が箱部１０の内側へ折り込まれるようになっている。
【００１８】
また、内面板１５の先端には、左右２箇所に突起１７が形成されており、一方、外面板１４と底壁部１１との境目には、この突起１７に対応する位置にスリット状の収容孔１８が打ち抜き形成されている。そして、内面板１５が箱部１０の内側へ折り込まれる際には、この突起１７が収容孔１８に差し込まれることによって、内面板１５が固定される。そして、このように内面板１５が折り込まれた状態で、外面板１４と内面板１５との間にできる隙間は、後述のフラップ部２１、およびカバー３０の係止片３４を収容可能なスリット部２０とされている（図４、図５参照）。
【００１９】
また、短辺側側壁部１２の上端には、内面板１５と外面板１４との境目に設けられた折線１６に添って、スリット状の挿入孔１９が打ち抜き形成されている。
【００２０】
一方、底壁部１１における長辺側の側辺には、それぞれ対向する一対の長辺側側壁部１３が連設されている。この長辺側側壁部１３の左右両端縁には、高さ方向に渡ってフラップ部２１が突設されている。両フラップ部２１は、それぞれ短辺側側壁部１２の幅のほぼ半分の幅を有する略矩形状をなすとともに、突出端側における上端の角部付近が切り欠かれて段付き状に形成されている。このフラップ部２１は、短辺側側壁部１２におけるスリット部２０に収容されることにより、短辺側側壁部１２と長辺側側壁部１３とを連結する役割を果たしている（図４参照）。
【００２１】
また、長辺側側壁部１３の上端からは、それぞれ蓋片２２が延出されている。この蓋片２２は、それぞれ箱部１０の上面側半分を覆う大きさに形成されており、両蓋片２２が合わせられることで、箱部１０の上面全体を覆う蓋部２３を形成する。この蓋片２２の左右の側端縁における上端側の端部には、それぞれ幅方向外側に向かって突設されるとともに、付け根部分から折り曲げられて下方向を向く一対の舌片２４が設けられている。箱部１０の上面が蓋部２３によって覆蓋された状態では、この舌片２４が短辺側側壁部１２の上端に設けられた挿入孔１９に挿入されることで、蓋部２３が容易には開放されないようになっている。
【００２２】
この箱部１０を包囲するカバー３０は、ダンボールにより形成されたものであって、全体としてこのカバー３０により覆われる箱部１０の底壁部１１、長辺側側壁部１３、および蓋部２３の幅よりも僅かに幅広の帯状をなしている（図７参照）。このカバー３０は、箱部１０の底壁部１１を覆う下面板３１、一方の長辺側側壁部１３を覆う側面板３２、および蓋部２３を覆う上面板３３がこの順に並列されたものである。下面板３１および上面板３３の端部側には、カバー３０の両端を連結するとともに、他方の長辺側側壁部１３を覆う連結部３５、３６が設けられている。
【００２３】
一対の連結部３５、３６のうち一方（以下、穴側連結部３５と称する）には、その幅方向中央位置に、幅方向に細長い差込穴３７が設けられている。また、他方（以下、差込片側連結部３６と称する）には、この差込穴３７に差し込み可能な２つの差込片３８、３９が設けられている。第１の差込片３８は、差込片側連結部３６の端縁３６Ａにおける幅方向の中央部分を、カバー３０の長さ方向、すなわちカバー３０の巻き付け方向（図１１における矢印方向）に突出させることにより、幅方向に細長い長方形状に形成されている。また、第２の差込片３９は、差込片側連結部３６の端縁３６Ａからやや内側位置にコの字状の切り込みを入れることによって、上述した第１の差込片３８と同形状に、かつ背中合わせとなるように形成されている。両差込片３８、３９の中間位置には、幅方向（カバー３０の巻き付け方向と交差方向）に渡って第１の折り線４０が形成されている。また、第２の差込片３９の付け根位置には、幅方向に渡って第２の折り線４１が形成されている。
【００２４】
側面板３２の側端縁には、カバー３０の長さ方向に沿って細長の係止片３４が設けられている。この係止片３４は、カバー３０が筒状とされたときに筒の内側方向を向くように付け根部分で折り曲げられて、上述した箱部１０に係合されるようになっている。
【００２５】
また、上面板３３には、細長の保持孔４２が打ち抜き形成されており、ここから保証書等を差し入れてカバー３０と箱部１０との隙間に保持させることが出来るようになっている。
【００２６】
次に、上記のように構成された本実施形態の作用および効果について説明する。
【００２７】
まず、箱部１０を組み立て、内部に被包装物２を収容する。
箱部１０を組み立てるには、まず、２つの短辺側側壁部１２を、底壁部１１に対して垂直となるように起こす（図８参照）。次いで、この短辺側側壁部１２を、外面板１４と内面板１５との境目の折線１６に沿って折り込み、内面板１５が外面板１４の内側へ重ねられるようにする。そして、内面板１５の先端に設けられた突起１７を収容孔１８に差し込むことによって、内面板１５を固定する。
【００２８】
次いで、一方の長辺側側壁部１３Ａにおけるフラップ部２１を、それぞれ長辺側側壁部１３に対して垂直となるように起こす。そして、このフラップ部２１を短辺側側壁部１２ののスリット部２０に進入させるようにしつつ、この長辺側側壁部１３Ａを底壁部１１に対して垂直となるように起こして、短辺側側壁部１２と長辺側側壁部１３Ａとを連結させる。
【００２９】
このようにして、短辺側側壁部１２、および一方の長辺側側壁部１３Ａの組み付けが終了する。このとき、他方の長辺側側壁部１３Ｂは組み付けられておらず、箱部１０における一方の側面が開放された状態となっている。
【００３０】
次に、被包装物２を箱部１０の内部に収容する（図９参照）。このとき、他方の長辺側側壁部１３Ｂは組み付けられず、箱部１０における一方の側面が開放された状態となっている。このため、被包装物２を持ち上げて箱部１０の上面側から投入するのではなく、側面側から滑らせるようにして収納することが出来るので、被包装物２の重量が大きい場合等であっても、収納作業を容易に行うことが出来る。
【００３１】
次に、他方の長辺側側壁部１３Ｂを、上述した一方の長辺側側壁部１３Ａと同様にして組み付ける。
【００３２】
そして、一対の蓋片２２をそれぞれ内側へ折り込むことによって、箱部１０の上面側を覆蓋する。このとき、２対の舌片２４が短辺側側壁部１２に沿う方向を向くように付け根部分で折り込み、短辺側側壁部１２に設けられた挿入孔１９に差し込むことによって、蓋片２２を係止する。このようにして、箱部１０の組み立てが終了する。
【００３３】
次に、組み立てられた箱部１０にカバー３０を取り付ける。
まず、カバー３０の下面板３１の上に、箱部１０を載置する（図１０参照）。次に、側面板３２を箱部１０の長辺側側壁部１３に、また上面板３３を箱部１０の蓋部２３に沿わせるようにしつつ、カバー３０を箱部１０に巻き付ける（図１１参照）。このとき、カバー３０の係止片３４を、カバー３０が筒状とされたときに筒の内側方向を向くように付け根部分で折り曲げる。そして、この係止片３４を、箱部１０の短辺側側壁部１２におけるスリット部２０に進入させるようにする。このとき、係止片３４は、カバー３０の長さ方向に沿って、すなわちカバー３０の箱部１０への巻き付け方向に沿って設けられているから、カバー３０の巻き付け動作と連動して、係止片３４のスリット部２０へのへの挿入を円滑に行うことができる（図１２、図１３参照）。
【００３４】
次に、カバー３０両端の連結部３５、３６を連結する（図１２参照）。まず、穴側連結部３５を、箱部１０の長辺側側壁部１３に沿わせるようにする。次いで、差込片側連結部３６を、第２の差込片３９の付け根部分にある第２の折り線４１に沿って折り曲げる。このとき、この第２の折り線４１を谷折り（すなわち稜線がカバー３０の内周方向を向くように）とし、第２の差込片３９が筒の内周方向に向くようにする。この状態で、この第２の差込片３９を差込穴３７に挿入し、その端部側の開口縁３７Ａに引っ掛ける（図１２Ａ参照）。
【００３５】
次に、両差込片３８、３９の中間位置に設けられた第１の折り線４０に沿って、差込片側連結部３６を折り曲げる。このとき、この第１の折り線４を山折り（すなわち稜線がカバー３０の外周方向を向くように）とし、第１の差込片３８が筒の内周方向に向くようにする。この状態で、第１の差込片３８を差込穴３７に挿入し、その中心側の開口縁３７Ｂに引っ掛けるようにする（図１２Ｂ参照）。
【００３６】
最後に、差込片側連結部３６における山折りの稜線部分を指で押すようにして、両差込片３８、３９をカバー３０の内周側へ押し込みつつ、差込片側連結部３６を真直ぐに戻す。このようにすると、２つの差込片３８、３９が差込穴３７の対向する開口縁３７Ａ、３７Ｂに抜け止め状態に引っ掛けられる（図１２Ｃ参照）。これにより、カバー３０の両端が連結される。
このようにして、箱部１０へのカバー３０の取り付けが完了する。
【００３７】
このようにしてカバー３０の取り付けが終了した包装箱１は、流通過程に乗せられる。ここで、包装箱１においてカバー３０に覆われている４面（すなわち、箱部１０における底壁部１１、長辺側側壁部１３、および蓋部２３側の面）は、カバー３０の厚み分だけ壁が厚い状態となっている。このため、この方向から障害物がぶつかった場合等に、内部の被包装物２への衝撃を和らげることができる。しかし、カバー３０の開放面側（箱部１０における短辺側側壁部１２側）から障害物がぶつかった場合には、このようなカバー３０の厚みによる緩衝効果は得られない。
【００３８】
しかし、カバー３０は、箱部１０における底壁部１１、長辺側側壁部１３、および蓋部２３の幅よりも僅かに幅広に形成されている。したがって、カバー３０を箱部１０に取り付けた際には、カバー３０の側縁部３０Ａが箱部１０の側方へ僅かに張り出す状態となる。このため、カバー３０の開放面側から障害物がぶつかった場合等には、この張り出し部分が緩衝材の役割を果たし、衝撃を和らげる。これにより、如何なる方向から障害物がぶつかった場合であっても、カバー３０による緩衝効果を得ることができ、被包装物２を保護することができる。
【００３９】
また、箱部１０からのカバー３０の取り外しを行う際には、上述した取り付け手順と逆の手順で行えば良い。すなわち、第１の折り線４０をカバー３０の外周方向へ起こすようにして、差込片側連結部３６を山折りの状態とし、第１の差込片３８を差込穴３７から引き抜く。次いで、差込片側連結部３６を第２の折り線４１に沿って谷折りとし、第２の差込片３９を差込穴３７から引き抜く。そして、係止片３４を、箱部１０におけるスリット部２０から引き抜きつつ、カバー３０を取り外す。
【００４０】
以上のように本実施形態によれば、カバー３０の両端に設けられた連結部３５、３６には、互いに係合可能な差込穴３７と差込片３８、３９とが設けられている。このような構成によれば、接着剤やガムテープ等を使用しなくとも、カバー３０の両端を連結して箱部１０を包囲させることができるから、カバー３０の取り付け、取り外しを容易に行うことができる。また、取り外し時に剥がされた接着部分が傷んでしまうことがないため、カバー３０を繰り返し使用することができ、資源の有効利用を図ることができる。
【００４１】
また、カバー３０には、箱部１０に係止可能な係止片３４が設けられているから、カバー３０から箱部１０が飛び出してしまうことを防止できる。さらに、この係止片３４は、カバー３０の箱部１０への巻き付け方向に沿って設けられているから、カバー３０の巻き付け、取り外し動作と連動して、係止片３４のスリット部２０への挿脱を行うことができる。これにより、カバーの着脱時の作業性が向上する。
【００４２】
また、箱部１０において、フラップ部２１を収容するためのスリット部２０に係止片３４を収容している。このような構成によれば、係止片３４を収容するための構造を特別に設ける必要がないため、箱部１０の構造を簡略化できる。
【００４３】
また、差込片３８、３９は、互いに背中合わせに一対が設けられているので、一方の差込片が差込穴から脱落しようとする方向にずれたとしても、他方の差込片の差込穴３７への引っ掛かりによってそのずれが規制される。したがって、差込片３８、３９が差込穴３７から脱落しにくくなり、両連結部の３５、３６の連結が確実に行われる。また、両差込片３８、３９はカバー３０の巻き付け方向に突出されているから、カバー３０の巻き付け、取り外し動作と連動して差込片３８、３９の差込穴に対する挿脱を行うことができ、カバー３０の着脱時の作業性が向上する。
【００４４】
さらに、第１の差込片３８と第２の差込片３９との間には第１の折り線４０が設けられ、第２の差込片３９の付け根位置には第２の折り線４１が設けられている。このような構成によれば、両折り線４０、４１に沿って差込片側連結部３６を折り曲げることにより、両差込片３８、３９の差込穴３７に対する挿脱を容易に行うことができ、カバー３０の着脱時の作業性が向上する。
【００４５】
加えて、カバー３０は、箱部１０における底壁部１１、長辺側側壁部１３、および蓋部２３の幅よりも僅かに幅広に形成されている。したがって、カバー３０を箱部１０に取り付けた際には、カバー３０の側縁部３０Ａが箱部１０の側方へ僅かに張り出す状態となる。このため、カバー３０の開放面側から障害物がぶつかった場合等であっても、この張り出し部分が緩衝材の役割を果たし、衝撃を和らげる。これにより、如何なる方向から障害物がぶつかった場合であっても、カバー３０による緩衝効果を得ることができ、被包装物２を保護することができる。
【００４６】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記実施形態では、箱部１０およびカバー３０はダンボールにより形成されていたが、本発明によれば箱部およびカバーの材質には特に制限はなく、例えば厚紙等により製造されていても良い。
（２）上記実施形態によれば、短辺側側壁部１２にスリット部２０が、長辺側側壁部１３にフラップ部２１が設けられていたが、短辺側側壁部にフラップ部が設けられ、長辺側側壁部にこのフラップ部を収容する収容部が設けられていても構わない。
【図面の簡単な説明】
【図１】本実施形態のカバーつき包装箱の斜視図
【図２】図１のＡ−Ａ断面図
【図３】本実施形態の箱部の斜視図
【図４】図２のＢ−Ｂ断面図
【図５】図４の円Ｒ内の拡大図
【図６】本実施形態の箱部の展開図
【図７】本実施形態のカバーの展開図
【図８】箱部を組み立てる様子を示す斜視図
【図９】箱部に被包装物を収容する様子を示す斜視図
【図１０】カバー上に箱部を載置する様子を示す斜視図
【図１１】箱部にカバーを巻き付ける様子を示す斜視図
【図１２】（Ａ）箱部にカバーを巻き付ける様子を示す断面図
（Ｂ）差込片を差込穴に差し込む様子を示す部分拡大断面図
（Ｃ）差込片を差込穴に係止された様子を示す部分拡大断面図
【図１３】係止片がスリット部に挿入される様子を示す部分拡大断面図
【符号の説明】
１…カバー付き包装箱
２…被包装物
１０…箱部
１２…短辺側側壁部（側壁部）
１３…長辺側側壁部（側壁部）
２１…フラップ部
２０…スリット部（係合部）
３０…カバー
３４…係止片
３６Ａ…端縁
３７…差込穴
３８…第１の差込片
３９…第２の差込片
４０…第１の折り線
４１…第２の折り線
【図１】
2004203421.tif 000003
【図２】
2004203421.tif 000004
【図３】
2004203421.tif 000005
【図４】
2004203421.tif 000006
【図５】
2004203421.tif 000007
【図６】
2004203421.tif 000008
【図７】
2004203421.tif 000009
【図８】
2004203421.tif 000010
【図９】
2004203421.tif 000011
【図１０】
2004203421.tif 000012
【図１１】
2004203421.tif 000013
【図１２】
2004203421.tif 000014
【図１３】
2004203421.tif 000015